(57)【要約】【課題】簡単な操作によって、送信対象の撮影画像を指定して送信することのできる情報端末、携帯電話機、画像送信方法及びコンピュータプログラムを提供する。【解決手段】情報端末１００は、カメラモジュール４により、新たな写真を撮影すると、撮影日などの属性情報と共に記憶装置４０に記憶する。ユーザは、各写真に自動送信の可否を設定し、また、送信可を設定した写真には送信先も指定する。写真の送信時、ユーザは、属性の範囲を設定する。制御部１０は、送信可が設定されており且つ設定された範囲に属性が属す写真を選択し、通信部２０は、制御部１０が選択した写真を設定されている送信先に送信する。【選択図】図２
2013187617.tif 000002
【特許請求の範囲】
【請求項１】
撮像装置と、
前記撮像装置による撮像に伴い属性情報を収集する属性情報収集手段と、
撮像装置で撮像した画像と前記属性情報収集手段で収集した属性情報とを対応付けて記憶する記憶手段と、
所定の属性情報を有する画像を前記記憶手段に記憶されている画像のうちから選択する画像選択手段と、
前記画像選択手段で選択された画像を、所定の送信先に送信する送信手段と、
を備えることを特徴とする情報端末。
【請求項２】
属性情報の範囲を設定する範囲設定手段、を更に備え、
前記画像選択手段は、前記範囲設定手段により設定された範囲に入る属性情報を有する画像を前記記憶手段に記憶されている画像のうちから選択する、
ことを特徴とする請求項１に記載の情報端末。
【請求項３】
前記属性情報収集手段は、前記撮像装置による撮影日を特定し、
前記範囲設定手段は、撮影日の範囲を設定し、
前記画像選択手段は、前記記憶手段に記憶されている画像の中から、前記範囲設定手段により設定された範囲に属す撮影日を有するものを選択する、
ことを特徴とする請求項２に記載の情報端末。
【請求項４】
ユーザの所定の操作を検知する検知手段、を更に備え、
前記送信手段は、前記検知手段が、ユーザの所定の操作を検知した際に、前記画像選択手段により選択された画像を送信する、
ことを特徴とする請求項１、２又は３に記載の情報端末。
【請求項５】
ポーリング着信を検知するポーリング着信検知手段、を更に備え、
前記送信手段は、前記ポーリング着信検知手段がポーリング着信を検知した際に、前記画像選択手段により選択された画像を送信する、
ことを特徴とする請求項１乃至４のいずれか１項に記載の情報端末。
【請求項６】
前記記憶手段に記憶されている各画像に送信の可否を示す送信可否情報を設定する手段と、
送信可を示す送信可否情報を設定した画像に送信先を設定する送信先設定手段と、
を備え、
前記画像選択手段は、送信不可の送信可否情報が設定されている画像を、選択の対象から除外する、
ことを特徴とする請求項１乃至５のいずれか１項に記載の情報端末。
【請求項７】
前記画像選択手段は、
選択した画像をユーザに提示する提示手段と、
選択して提示した画像のうち、ユーザの指定する画像を選択から除外する除外手段と、
を備える、
ことを特徴とする請求項１乃至６のいずれか１項に記載の情報端末。
【請求項８】
請求項１乃至７の何れか１項に記載の情報端末から構成される、
ことを特徴とする携帯電話機。
【請求項９】
撮像した画像と該画像の属性情報とを対応付けて記憶し、
所定の属性を有する画像を選択し、
選択した画像を所定の送信先に送信する、
ことを特徴とする画像送信方法。
【請求項１０】
コンピュータに、
撮像した画像と該画像の属性情報とを対応付けて記憶する処理、
所定の属性を有する画像を選択する処理、
選択した画像を所定の送信先に送信する処理、
を実行させることを特徴とするコンピュータプログラム。
【発明の詳細な説明】
【技術分野】
【０００１】
本発明は、情報端末、携帯電話機、画像送信方法及びコンピュータプログラムに関する。
【背景技術】
【０００２】
携帯電話機等に搭載されているカメラで写真や動画を撮影し、撮影した写真や動画を外部へ取り出すことが一般に行われている。撮影した写真を外部へ取り出すには、外部メモリにデータを移動したり、電子メールに写真データを添付して送信したりしなければならず、煩雑である。
【０００３】
この煩雑さを解消するための技術が、例えば特許文献１に開示されている。特許文献１には、写真撮影時に、撮影された写真を予め設定されたメールアドレスに自動的に送信する技術が開示されている。
【先行技術文献】
【特許文献】
【０００４】
【特許文献１】特開２０１０−５０６４６号公報
【発明の概要】
【発明が解決しようとする課題】
【０００５】
特許文献１に開示されている技術では、撮影時に、撮影された写真を無条件に全て送信する。このため、撮影した写真を送り漏らしなく送信することが可能である。
【０００６】
しかし、特許文献１に開示されている技術では、撮影した全ての写真を外部へ送信するため、ユーザが送信したくない撮影画像も送信してしまうという問題がある。このため、撮影画像を選別して送信したい場面では、撮影画像を一つ一つ選んで送信しなければならず、煩雑である。
【０００７】
本発明は、上記実情に鑑みてなされたものであり、簡単な操作によって、送信対象の撮影画像を指定して送信することのできる情報端末、携帯電話機、画像送信方法及びコンピュータプログラムを提供することを目的とする。
【課題を解決するための手段】
【０００８】
上記目的を達成するために、本発明の第１の観点に係る情報端末は、
撮像装置と、
前記撮像装置による撮像に伴い属性情報を収集する属性情報収集手段と、
撮像装置で撮像した画像と前記属性情報収集手段で収集した属性情報とを対応付けて記憶する記憶手段と、
所定の属性情報を有する画像を前記記憶手段に記憶されている画像のうちから選択する画像選択手段と、
前記画像選択手段で選択された画像を、所定の送信先に送信する送信手段と、
を備えることを特徴とする。
【０００９】
また、本発明の第２の観点に係る携帯電話機は、
本発明の第１の観点に係る情報端末から構成される、
ことを特徴とする。
【００１０】
また、本発明の第３の観点に係る画像送信方法は、
撮像した画像と該画像の属性情報とを対応付けて記憶し、
所定の属性を有する画像を選択し、
選択した画像を所定の送信先に送信する、
ことを特徴とする。
【００１１】
また、本発明の第４の観点に係るコンピュータプログラムは、
コンピュータに、
撮像した画像と該画像の属性情報とを対応付けて記憶する処理、
所定の属性を有する画像を選択する処理、
選択した画像を所定の送信先に送信する処理、
を実行させることを特徴とする。
【発明の効果】
【００１２】
本発明によれば、簡単な操作によって、送信対象の撮影画像を指定して送信することのできる情報端末、携帯電話機、画像送信方法及びコンピュータプログラムを提供することができる。
【図面の簡単な説明】
【００１３】
【図１】（Ａ）と（Ｂ）は、本発明の実施の形態に係る情報端末の外観図である。
【図２】本発明の実施の形態に係る情報端末のブロック図である。
【図３】（Ａ）は、記憶装置に記憶される撮影画像リストの例を示す図、（Ｂ）は記憶装置に記憶される送信画像リストの例を示す図、（Ｃ）は、ユーザにより指定される送信範囲の例を示す図である。
【図４】制御部により実行される撮影画像リスト更新処理のフローチャートである。
【図５】制御部により実行される送信対象特定処理のフローチャートである。
【図６】制御部により実行される写真送信処理のフローチャートである。
【図７】制御部により実行される送信画像リスト生成処理のフローチャートである。
【図８】（Ａ）は、送信範囲設定画面の例を示す図、（Ｂ）は、送信確認画面の例を示す図である。
【図９】（Ａ）は、本発明の変形例で使用される取得データリストの例を示す図、（Ｂ）は、送信データリストの例を示す図である。
【図１０】本発明の変形例で使用される複数の属性情報を設定可能な送信範囲設定画面の例を示す図である。
【発明を実施するための形態】
【００１４】
以下、本発明の実施の形態について、図面を参照して説明する。
【００１５】
（実施の形態）
実施の形態に係る情報端末１００は、例えば、スマートフォン等から構成され、図１（Ａ），（Ｂ）の外観図に示すように、タッチパネル１、スピーカ２、マイク３、カメラモジュール４を備える。
【００１６】
タッチパネル１は、図１（Ａ）に示すように、情報端末１００の正面に設置されており、デジタイザと、液晶表示パネル、ＥＬ（Electro Luminescence）パネル等、から構成される表示装置とが積層された構成を備える。タッチパネル１は、後述する制御部１０の制御に従って、任意のデータ及び入力操作のための種々のボタン（後述するカメラモジュール４のシャッタボタン、写真の送信を命令するボタンを含む）、アイコン等の画像を表示し、さらに、ユーザのタッチ位置を検出し、検出した位置を制御部１０に通知する。これにより、タッチパネル１は、入力装置として機能すると共に表示装置として機能する。
【００１７】
スピーカ２は、情報端末１００の正面上部に設置されており、入力された電気信号を音声に変換して外部に出力する。マイク３は情報端末１００の正面下部に設置されており、外部から入力された音声を電気信号に変換して出力する。
【００１８】
カメラモジュール４は、図１（Ｂ）に示すように、情報端末１００の裏面に配置されており、レンズと固体撮像素子（ＣＣＤ（Charge Coupled Device）イメージセンサ、ＣＭＯＳ（Complementary Metal Oxide Semiconductor）イメージセンサ等）とを備える。レンズは入射光を固体撮像素子の撮像面に結像させる。また、固体撮像素子は、結像された入射光を電気信号に変換する。このように、レンズと固体撮像素子等を備えることにより、カメラモジュール４は撮影機能を有する。
【００１９】
また、情報端末１００は、図２に示すように、上述したタッチパネル１，スピーカ２、マイク３、カメラモジュール４、に加えて、制御部１０、通信部２０、ＲＴＣ（Real Time Clock）３０、記憶装置４０、という回路構成を備える。タッチパネル１、スピーカ２、マイク３、通信部２０、ＲＴＣ３０、記憶装置４０、は制御部１０に接続されている。
【００２０】
制御部１０は、ＣＰＵ（Central Processing Unit）、メモリ等を備え、記憶装置４０に格納されているプログラムをメモリに展開して実行することにより、接続されている各部を制御する。
【００２１】
通信部２０は、変復調回路、アンテナ等を備え、データの変復調、電波の送受信を行い、通信ネットワークを介した通信、ブルートゥースを利用した通信等を行う。これにより、情報端末１００は、外部との通信が可能である。
【００２２】
ＲＴＣ３０は、現在時刻を計測する。
【００２３】
記憶装置４０は情報端末１００の補助記憶装置であり、情報端末１００の動作を制御するための種々のプログラム、固定データと共に、撮影画像リスト４１、送信画像リスト４２、写真送信プログラム４３を格納する。
また、記憶装置４０は、カメラモジュール４で撮影された写真の画像データを記憶する。
【００２４】
撮影画像リスト４１は、カメラモジュール４によって撮影された写真のリストであり、図３（Ａ）に示すように、「写真名」、「撮影日」等の写真のメタデータと、「送信フラグ」、「送信先」とを示すデータから構成されている。
【００２５】
「写真名」のデータ項目には、カメラモジュール４によって撮影され、記憶装置４０に格納されている写真の識別情報が格納されている。
【００２６】
「撮影日」のデータ項目には、カメラモジュール４が写真を撮影した時点でＲＴＣ３０が計測していた日付を示すデータが格納されている。
【００２７】
「送信フラグ」は、対応する写真を指定されたアドレスに送信するか否かを規定するデータ、即ち、送信可否を指定するデータである。
【００２８】
「送信先」は、対応する「送信フラグ」がオンの場合（外部に送信する場合）に、どこに送信するかを規定するデータである。
【００２９】
図２に示す送信画像リスト４２は、記憶装置４０に格納されている写真のうち、今回送信する写真のリストであり、図３（Ｂ）に示すように、「送信写真名」、「送信先」を示すデータから構成されている。
【００３０】
「送信写真名」のデータ項目には、今回送信する写真の識別情報が格納されている。
【００３１】
「送信先」のデータ項目には、写真の送信先のメールアドレスが格納されている。
【００３２】
図２に示す写真送信プログラム４３は、写真データを送信するためのアプリケーションプログラムであり、図３（Ｃ）に示すように、どの撮影日の写真を送信するかを規定する「送信範囲」のデータ項目を備える。
【００３３】
次に、上記構成を有する情報端末１００の、写真を撮影してから送信するまでの動作を説明する。
【００３４】
ユーザが、タッチパネル１を操作して、任意の被写体を撮像すると、カメラモジュール４は、撮影画像を制御部１０に出力する。制御部１０は、この画像に名前（識別情報）を付して、記憶装置４０に格納する。また、制御部１０は、Ｅｘｉｆ（Exchangeable image file format）用のデータ、例えば、撮影日時のデータ、図示せぬＧＰＳ(Global Positioning System)装置からの位置情報等を収集し、撮影画像のＥｘｉｆデータとして、撮影画像に対応付けて記憶装置４０に格納する。
【００３５】
画像データの保存に応答して、制御部１０は、図４に示す撮影画像リスト更新処理を開始し、まず、今回新たに記憶させた写真の名称（識別情報）と撮影日等のメタデータを取得する（ステップＳ１)。
【００３６】
続いて、撮影画像リスト４１の末尾に、取得したデータを格納したレコードを追加して（ステップＳ２）、処理を終了する。これにより、撮影画像リスト４１上で、撮影画像と撮影日の情報とが対応付けられる。なお、この段階では、新たに追加したレコードの送信フラグと送信先の情報は未設定である。
【００３７】
ユーザは、任意のタイミングで、タッチパネル１を操作する。この操作に応答して、制御部１０は、図５に示す送信対象特定処理を起動し、まず、撮影画像リスト４１をタッチパネル１に表示する（ステップＳ１１）。この際は、写真名に代えて又は写真名と共に画像のサムネイルを表示することが望ましい。
【００３８】
ユーザは、リストを見ながら、送信フラグが未設定の写真について、送信フラグのオン・オフ（即ち、送信の可否）を指定する。なお、送信フラグ設定済みのものについても、必要に応じて、オン・オフの切り替え等が可能である。制御部１０は、送信フラグがオンされた写真については、送信先アドレスの入力を促すメッセージを表示する。この際、予め登録されているアドレスの一覧を表示する等してもよい（ステップＳ１２）。また、複数の写真に同一のアドレスを一括して設定する等してもよい。
【００３９】
例えば、図３（Ａ）の撮影画像リストであれば、ｐｉｃ４とｐｉｃ５について、送信フラグが未設定である。ユーザは、例えば、ｐｉｃ４の送信フラグをオンし、ｐｉｃ５の送信フラグをオフする。送信フラグをオンしたｐｉｃ４については、送信先アドレスを設定する。また、ｐｉｃ１の送信フラグをオフに切り替える等してもよい。
【００４０】
制御部１０は、こうして、送信フラグと送信先アドレスを設定する処理を繰り返す（ステップＳ１２、Ｓ１３）。
【００４１】
制御部１０は、例えば、確定ボタンなどが操作されたことを契機に、設定処理が終了したと判別し（ステップＳ１３；ＹＥＳ）、今回の送信対象特定処理を終了する。
【００４２】
次に、情報端末１００の動作を説明する。
なお、情報端末１００は、一般の携帯電話、スマートフォン等と同様の動作を実行可能であるが、以下では、実施の形態に特有な写真送信動作を中心に説明する。
【００４３】
ユーザは、記憶装置４０に蓄積した写真を送信する場合、所定の入力操作によって写真送信プログラム４３を起動する。
制御部１０は、写真送信プログラム４３の起動により、図６に示す写真送信処理を開始し、図８（Ａ）に示すように、「送信範囲」の設定を促すメッセージと送信範囲設定用の入力ボックスを表示する（ステップＳ２１）。
【００４４】
ユーザは、希望する期間の始点の月日と終点の月日を入力ボックスに設定する。
入力ボックスに日付が入力されるとあるいは変更されると、制御部１０は、送信画像リスト４２を生成する処理を実行する（ステップＳ２２）。  
【００４５】
この送信画像リスト生成処理を、図７のフローチャートを参照して説明する。
【００４６】
制御部１０は、撮影画像リスト４１から写真を一つ選択する（ステップＳ３１）。なお、選択する写真は任意である。
【００４７】
続いて、制御部１０は、選択した写真の「撮影日」がステップＳ２１で設定された「送信範囲」で規定される期間内であるか否か判定する（ステップＳ３２）。
【００４８】
制御部１０は、範囲内であると判定すれば（ステップＳ３２：ＹＥＳ）、選択した写真の「送信フラグ」がオンに設定されているかを判定する（ステップＳ３３）。
【００４９】
送信フラグがオンに設定されていると判定すれば（ステップＳ３３：ＹＥＳ）、制御部１０は、選択された写真の識別情報（「写真名」）と「送信先」とを、図３（Ｂ）に示す送信画像リスト４２に追加登録する（ステップＳ３４）。
次に、制御部１０は、未選択の写真が撮影画像リスト４１に残っているか判定する（ステップＳ３５）。
【００５０】
一方、選択した写真の「撮影日」が「送信範囲」で規定される期間内ではない（ステップＳ３２：ＮＯ）、又は、選択した写真の「送信フラグ」がオフに設定されている（ステップＳ３３：ＮＯ）、と判定すれば、制御部１０は、ステップＳ３４をスキップして、前述のステップＳ３５に進む。
【００５１】
ステップＳ３５で、未選択の写真が残っていると判定すれば（ステップＳ３５：ＹＥＳ）、制御部１０は、処理をステップＳ３１に戻し、次の写真を選択して処理を継続する。
【００５２】
一方、未選択の写真が残っていないと判定すれば（ステップＳ３５：ＮＯ）、制御部１０は、送信画像リスト生成処理を終了し、メインフローにリターンする。
【００５３】
図６に戻り、制御部１０は、ステップＳ２２で生成した送信画像リスト４２を、図８（Ｂ）に示すように、タッチパネル１に表示することにより、送信する画像をユーザに報知する（ステップＳ２３）。この際、写真名と共に写真のサムネイルを表示することが望ましい。
【００５４】
ここで、ユーザのタッチパネル１を介した長押し等の入力操作等により、「削除」の指示があった場合には、送信画像リスト４２からその写真名と対応するメールアドレスを削除し、送信対象から除外するようにしてもよい。
【００５５】
次に、ユーザのタッチパネル１を介した入力操作による送信命令があれば、制御部１０は、生成した送信画像リスト４２に登録されている写真を記憶装置４０から読み出し、通信部２０を制御して、指定されている送信先へ送信する（ステップＳ２４）。
続いて、制御部１０は、撮影画像リスト４１に登録されている情報のうち、送信した写真に関する情報を削除する（ステップＳ２５）。
また、送信画像リスト４２をクリアする（ステップＳ２６）。
その後、処理を終了する。
【００５６】
このようにして、情報端末１００は、撮影日が、ユーザが設定した送信範囲が規定する期間に属す写真を自動的に抽出し、指定されているアドレスに送信する。従って、ユーザは、撮影日時範囲を指定するという簡単な操作で、希望する写真を選択的に任意の宛先に送信することができる。
【００５７】
次に、写真送信動作を具体例に基づいて説明する。
ここでは、記憶装置４０は図３（Ａ）に示すような撮影画像リスト４１を格納し、写真送信プログラム４３の「送信範囲」は、図３（Ｃ）に示すように、「５／１−５／３」に設定されていると仮定する。
【００５８】
まず、制御部１０は、撮影画像リスト４１から写真を一つ、例えば「ｐｉｃ１」を選択する（ステップＳ３１）。
【００５９】
続いて、制御部１０は、選択した写真（ｐｉｃ１）の「撮影日」（５／１（火））が「送信範囲」で規定されている期間（５／１−５／３）に含まれているか判定する（ステップＳ３２）。
【００６０】
「撮影日」が「送信範囲」で規定されている期間に含まれているので（ステップＳ３２：ＹＥＳ）、制御部１０はステップＳ３１にて選択した写真（ｐｉｃ１）の「送信フラグ」がオンに設定されているか判定する（ステップＳ３３）。
【００６１】
図３（Ａ）では、ｐｉｃ１の「送信フラグ」はオンに設定されているので（ステップＳ３３：ＹＥＳ）、制御部１０は、ステップＳ３１にて選択した写真の識別情報（ｐｉｃ１）と「送信先」（メールアドレスＡ）とを、図３（Ｂ）に示すように、送信画像リスト４２に登録する（ステップＳ３４）。次に、撮影画像リスト４１に未選択の写真があるか判定する（ステップＳ３５）。
【００６２】
撮影画像リスト４１に未選択の写真（ｐｉｃ２〜）があるので（ステップＳ３５：ＹＥＳ）、制御部１０は、ｐｉｃ２〜の何れかの写真を選択（ステップＳ３１）し、処理をステップＳ３２に進める。
【００６３】
このようにして、全ての写真を選択し終え、撮影画像リスト４１に未選択の写真がなくなると（ステップＳ３５：ＮＯ）、制御部１０は、送信画像リスト生成処理を終了する。制御部１０は、結果として図３（Ｂ）に示すような送信画像リスト４２を生成する。
【００６４】
送信画像リスト４２を生成し終えると、制御部１０は、生成した送信画像リスト４２をタッチパネル１に表示することにより、送信する画像をユーザに報知する（ステップＳ２３）。ここで、ユーザが一部の画像を除去（送信解除）してもよい。
【００６５】
ここで、ユーザのタッチパネル１を介した入力操作による送信命令があれば、制御部１０は、生成した送信画像リスト４２に登録されている写真（ｐｉｃ１，ｐｉｃ３，…）を、指定されている送信先（メールアドレスＡ、メールアドレスＢ、…）に送信し（ステップＳ２４）、写真送信処理を終了する。
【００６６】
その後、撮影画像リスト４１から送信済のｐｉｃ１、ｐｉｃ３等に関する情報を削除する（ステップＳ２５）。また、送信画像リスト４２をクリアする（ステップＳ２６）。
【００６７】
以上説明したように、情報端末１００は、ユーザの入力操作によって設定される「送信範囲」が規定する期間内に撮影された写真を、自動的に、予め指定された送信先へ送信する。このため、ユーザは、情報端末１００を使用して、簡単な操作によって所望の写真を外部に送信することができる。
【００６８】
（変形例）
上記実施の形態では、ユーザの入力操作によって送信命令があった場合に、制御部１０は、送信画像リスト４２の写真を送信していたが（ステップＳ３０）、本発明はこれに限られない。ポーリング方式を採用したネットワーク内の情報端末１００に、本発明を適用し、ポーリング着信があった際に、情報端末１００が自動的に送信画像リスト４２の写真を送信するようにしてもよい。
【００６９】
この場合、制御部１０は、ポーリング着信を検知すると、実施の形態１（等）で説明した処理と同様の処理を行い、送信画像リスト４２を生成し、指定されている送信先へ送信画像リスト４２の写真を送信する。
【００７０】
このようにして、ポーリング方式を採用したネットワーク内の情報端末１００に、本発明を適用することが可能である。
【００７１】
また、上記実施の形態では、電子メールを、撮影写真を送信する媒体として利用し、メールアドレスを送信先とする例を示したが、これに限られない。媒体、送信先は任意であり、例えば、ＭＭＳ（Multimedia Messaging Service）、ＩＭ（Instant Message）を媒体として利用してもよく、ウェブサイト、アップローダ、オンラインストレージ等のサーバのＵＲＬ（Uniform Resource Locator）、ＩＰ（Internet Protocol）アドレスを、送信先として指定してもよい。
【００７２】
また、撮影写真の送信先での処理は任意である。例えば、送信先が、全ての写真を送信先の記憶装置に蓄積してもよいし、古い写真を新しい写真に置き換えて、常に最新の撮影画像を保つようにしてもよい。
【００７３】
また、上記実施の形態では、カメラモジュール４によって撮影された写真を外部に送信する例を示したが、これに限られず、外部機器から受信した画像データ、テキストデータ、音声データ、動画データ等でもよい。この場合、記憶装置４０が図８（Ａ），（Ｂ）に示すような取得データリスト４１’、送信データリスト４２’を備えていてもよい。この場合、制御部１０は、取得したデータの識別情報を「取得データ」に、取得したデータの取得日を「取得日」に、それぞれ格納してもよい。取得したデータを外部へ送信する処理は、実施の形態（図５等）で説明した処理と同様である。
【００７４】
例えば、「送信範囲」が「５／４」に設定されている場合、制御部１０は、取得データリスト４１’を参照し、５／４に取得された「似顔絵．ｊｐｅｇ」等を送信データリスト４２’に登録し、送信する。
【００７５】
また、上記実施の形態では、撮影日を、送信の対象するか否かを判別する基準としたが、この発明は、日付だけではなく、任意の属性を送信の対象とするか否かの判断基準とすることができる。例えば、撮影日の曜日を判断基準（選択基準）としてもよい。この場合、制御部１０は、送信画像リスト４２を生成する際（ステップＳ２２）、選択した写真の「撮影日」の曜日が「送信範囲」が規定する曜日に該当するか判別し、該当するならば、送信画像リスト４２に登録する。
【００７６】
また、送信するか否かを判別する基準は、撮影日に関するものに限定されず、撮影位置、撮影条件、被写体、動画／静止画の別、ファイル形式等、任意の属性を使用可能である。
また、これらを組み合わせても良い。この場合、送信範囲用の設定画面は、例えば、図１０のようになり、複数の属性の範囲を設定可能である。
【００７７】
例えば、撮影画像リストに「撮影位置」の項目を設け、撮影時に撮影位置（緯度、経度）の情報を保存しておき、例えば、撮影地域を緯度経度や行政区画（例えば、国、県、市町村）、撮影位置が指定されている位置条件に合致するか否かを判別し、合致する場合に、送信対象として選定する、等してもよい。
その他、選択の選定、組み合わせは任意である。
【００７８】
上記実施の形態においては、写真とその属性と送信フラグと送信先とを相互に対応付けるために、撮影画像リスト４１を形成したが、同様の結果が得られるならば、撮影画像リスト４１を設けなくてもよい。
例えば、写真とそれに付随するＥｘｉｆデータを、写真とその属性情報として使用しても。また、送信フラグは設けず、全ての写真を送信対象としてもよい。さらに、送信先を個別に設定するのではなく、全写真に共通の固定の送信先を設定する等してもよい。
【００７９】
また、情報端末１００は、例えば、携帯電話、スマートフォン、ゲーム機、タブレットＰＣ（Personal Computer）、ノートＰＣ、ＰＤＡ（Personal Data Assistants：携帯情報端末）等、任意である。
【００８０】
また、コンピュータがプログラムを実行することで、情報端末１００の機能を実現してもよい。情報端末１００の機能を実現するためのプログラムは、フレキシブルディスク、ＣＤ−ＲＯＭ（Compact Disc Read Only Memory）、ＤＶＤ（Digital Versatile Disc）、ＭＯ（Magneto Optical Disc）等のコンピュータ読み取り可能な記録媒体に記憶されてもよいし、ネットワークを介してコンピュータにダウンロードされてもよい。
【００８１】
上記の実施の形態の一部又は全部は、以下の付記のようにも記載されうるが、以下には限られない。
【００８２】
（付記１）
撮像装置と、
前記撮像装置による撮像に伴い属性情報を収集する属性情報収集手段と、
撮像装置で撮像した画像と前記属性情報収集手段で収集した属性情報とを対応付けて記憶する記憶手段と、
所定の属性情報を有する画像を前記記憶手段に記憶されている画像のうちから選択する画像選択手段と、
前記画像選択手段で選択された画像を、所定の送信先に送信する送信手段と、
を備えることを特徴とする情報端末。
【００８３】
（付記２）
属性情報の範囲を設定する範囲設定手段、を更に備え、
前記画像選択手段は、前記範囲設定手段により設定された範囲に入る属性情報を有する画像を前記記憶手段に記憶されている画像のうちから選択する、
ことを特徴とする付記１に記載の情報端末。
【００８４】
（付記３）
前記属性情報収集手段は、前記撮像装置による撮影日を特定し、
前記範囲設定手段は、撮影日の範囲を設定し、
前記画像選択手段は、前記記憶手段に記憶されている画像の中から、前記範囲設定手段により設定された範囲に属す撮影日を有するものを選択する、
ことを特徴とする付記２に記載の情報端末。
【００８５】
（付記４）
ユーザの所定の操作を検知する検知手段、を更に備え、
前記送信手段は、前記検知手段が、ユーザの所定の操作を検知した際に、前記画像選択手段により選択された画像を送信する、
ことを特徴とする付記１、２又は３に記載の情報端末。
【００８６】
（付記５）
ポーリング着信を検知するポーリング着信検知手段、を更に備え、
前記送信手段は、前記ポーリング着信検知手段がポーリング着信を検知した際に、前記画像選択手段により選択された画像を送信する、
ことを特徴とする付記１乃至４のいずれか１つに記載の情報端末。
【００８７】
（付記６）
前記記憶手段に記憶されている各画像に送信の可否を示す送信可否情報を設定する手段と、
送信可を示す送信可否情報を設定した画像に送信先を設定する送信先設定手段と、
を備え、
前記画像選択手段は、送信不可の送信可否情報が設定されている画像を、選択の対象から除外する、
ことを特徴とする付記１乃至５のいずれか１つに記載の情報端末。
【００８８】
（付記７）
前記画像選択手段は、
選択した画像をユーザに提示する提示手段と、
選択して提示した画像のうち、ユーザの指定する画像を選択から除外する除外手段と、
を備える、
ことを特徴とする付記１乃至６のいずれか１つに記載の情報端末。
【００８９】
（付記８）
付記１乃至７の何れか１つに記載の情報端末から構成される、
ことを特徴とする携帯電話機。
【００９０】
（付記９）
撮像した画像と該画像の属性情報とを対応付けて記憶し、
所定の属性を有する画像を選択し、
選択した画像を所定の送信先に送信する、
ことを特徴とする画像送信方法。
【００９１】
（付記１０）
コンピュータに、
撮像した画像と該画像の属性情報とを対応付けて記憶する処理、
所定の属性を有する画像を選択する処理、
選択した画像を所定の送信先に送信する処理、
を実行させることを特徴とするコンピュータプログラム。
【符号の説明】
【００９２】
１      …タッチパネル
２      …スピーカ
３      …マイク
４      …カメラモジュール
１０    …制御部
２０    …通信部
３０    …ＲＴＣ
４０    …記憶装置
４１    …撮影画像リスト
４１’  …取得データリスト
４２    …送信画像リスト
４２’  …送信データリスト
４３    …写真送信プログラム
【図１】
2013187617.tif 000003
【図２】
2013187617.tif 000004
【図３】
2013187617.tif 000005
【図４】
2013187617.tif 000006
【図５】
2013187617.tif 000007
【図６】
2013187617.tif 000008
【図７】
2013187617.tif 000009
【図８】
2013187617.tif 000010
【図９】
2013187617.tif 000011
【図１０】
2013187617.tif 000012